(57)【要約】【課題】  使用者にとって有用な情報を適宜かつ見易く表示し、簡易な構成かつ安価な車両用表示装置を提供する。【解決手段】  車両用表示装置１Ａにおいて、制御部４Ａは、交差点表示すべき交差点がないと判断した場合に、地磁気センサ２２やジャイロスコープ２３により検知された車両の進行方位を、セグメント表示器６の放射配列セグメント群の表示セグメントに対応させて方位表示する。【選択図】        図１
2007198746.tif 000002
【特許請求の範囲】
【請求項１】
表示セグメントが放射状に配列した放射配列セグメント群を有するセグメント表示器と、
交差点表示の対象となる表示対象交差点に車両が接近したことを検知する接近検知手段と、
表示対象交差点において推奨される進入方向および退出方向を設定する経路設定手段と、
表示対象交差点に車両が接近した場合に、該表示対象交差点において推奨される進入方向および退出方向を前記放射配列セグメント群の表示セグメントに対応させて交差点表示する主表示制御手段と、
車両自身の状態または車両周囲の状態の情報である車両状態情報を取得する状態取得手段と、
前記主表示制御手段による交差点表示が行われない場合に、取得した車両状態情報を前記放射配列セグメント群の表示セグメントに対応させて表示する補助表示制御手段と、
を備えることを特徴とする車両用表示装置。
【請求項２】
前記状態取得手段は、車両の進行方位を車両状態情報として取得し、
前記補助表示制御手段は、取得した車両の進行方位を前記放射配列セグメント群の表示セグメントに対応させて方位表示する請求項１に記載の車両用表示装置。
【請求項３】
車両の現在位置を検知する位置検知手段と、
地図データを記憶している記憶手段と、を備え、
前記経路設定手段は、車両の現在位置から目的地までの推奨経路を地図データ上で設定するものであり、
前記状態取得手段は、車両の現在位置を基準とした目的地の方位を車両状態情報として取得し、
前記補助表示制御手段は、取得した目的地の方位を前記放射配列セグメント群の表示セグメントに対応させて方位表示する請求項１に記載の車両用表示装置。
【請求項４】
前記補助表示制御手段は、前記セグメント表示器による表示の上方を北の方位に対応させて、前記放射配列セグメント群により方位表示する請求項２または３に記載の車両用表示装置。
【請求項５】
前記セグメント表示器は、前記放射配列セグメント群に隣接して、表示セグメントが数字状に配列した数字表示セグメント群を有し、
前記接近検知手段は、車両から表示対象交差点までの距離を検知し、
前記主表示制御手段は、表示対象交差点に車両が接近した場合に、該表示対象交差点までの距離を前記数字表示セグメント群により表示し、
前記補助表示制御手段は、前記放射配列セグメント群により方位表示するとともに、その方位表示において前記数字表示セグメント群の隣接位置に対応する方位を表す文字を、方位の基準を示す文字として該数字表示セグメント群により表示する請求項２ないし４のいずれか１項に記載の車両用表示装置。
【請求項６】
前記セグメント表示器は、前記放射配列セグメント群による表示の右隣に隣接して前記数字表示セグメント群を有し、
前記補助表示制御手段は、前記セグメント表示器による表示の上方を北の方位に対応させて、前記放射配列セグメント群により方位表示するとともに、前記方位の基準を示す文字として東の方位を表す「Ｅ」の文字を、右隣に隣接する前記数字表示セグメント群における１つの数字を表すための表示セグメントの組により表示する請求項５に記載の車両用表示装置。
【請求項７】
前記セグメント表示器は、前記放射配列セグメント群による表示の下隣に隣接して前記数字表示セグメント群を有し、
前記補助表示制御手段は、前記セグメント表示器による表示の上方を北の方位に対応させて、前記放射配列セグメント群により方位表示するとともに、前記方位の基準を示す文字として南の方位を表す「Ｓ」の文字を、下隣に隣接する前記数字表示セグメント群における１つの数字を表すための表示セグメントの組により表示する請求項５に記載の車両用表示装置。
【請求項８】
前記状態取得手段は、車両の進行方位および目的地の方位を車両状態情報として取得し、
前記補助表示制御手段は、前記セグメント表示器による表示の上方を車両の進行方位に対応させ、車両の進行方位を基準とした目的地の方位を前記放射配列セグメント群の表示セグメントに対応させて表示する請求項３に記載の車両用表示装置。
【請求項９】
前記補助表示制御手段は、前記放射配列セグメント群を指針計器に見立て、車両状態情報として取得した物理量を表す指針の位置を、前記放射配列セグメント群の表示セグメントに対応させて表示する請求項１に記載の車両用表示装置。
【請求項１０】
前記セグメント表示器は、前記放射配列セグメント群に隣接して、表示セグメントが数字状に配列した数字表示セグメント群を有し、
前記接近検知手段は、車両から表示対象交差点までの距離を検知し、
前記主表示制御手段は、表示対象交差点に車両が接近した場合に、該表示対象交差点までの距離を前記数字表示セグメント群により表示し、
前記補助表示制御手段は、前記放射配列セグメント群に表す指針計器を、車両状態情報として取得した燃料の残量を表すフューエルゲージとするとともに、燃料の残量が所定以下の場合に、燃料の残量が僅かであることを表す「Ｅ」の文字を、前記数字表示セグメント群における１つの数字を表すための表示セグメントの組により表示する請求項９に記載の車両用表示装置。
【発明の詳細な説明】
【技術分野】
【０００１】
本発明は、車両用表示装置に関する。
【背景技術】
【０００２】
近年、車両の現在位置から目的地までの推奨経路を表示して経路案内を行うカーナビゲーション装置が広く普及してきている。このような装置では、推奨経路上に存在する交差点に車両が接近すると、推奨経路に基づいた交差点での進入方向と退出方向を表示することで、複雑な交差点であっても使用者に解り易く経路案内を行う。
【０００３】
【特許文献１】特開平４−１１５１１６号公報
【特許文献２】実開平１−１０４５１４号公報
【発明の開示】
【発明が解決しようとする課題】
【０００４】
特許文献１には、交差点手前の所定距離から交差点の進行方向を表示して、使用者に経路案内を行う表示装置が開示されている。
【０００５】
しかしながら、このような表示装置は、交差点に車両が接近していない場合や推奨経路が設定されていない場合、走行している道路を装置が認識できない場合などに表示が行われないため、表示器を有効に利用できていないことがある。
【０００６】
また、表示器としてＣＲＴやＴＦＴ等のディスプレイを用いることができるが、この場合、装置の構成が複雑となる上に高価なものとなってしまう。また、複雑な表示が可能であるが故に、使用者はどこにどのような情報が表示されているかということを瞬時に把握し難い。
【０００７】
本発明は、上記問題を鑑みて為されたものであり、使用者にとって有用な情報を適宜かつ見易く表示し、簡易な構成かつ安価な車両用表示装置を提供することを目的とする。
【課題を解決するための手段及び発明の効果】
【０００８】
上記課題を解決するため、本発明の車両用表示装置は、
表示セグメントが放射状に配列した放射配列セグメント群を有するセグメント表示器と、
交差点表示の対象となる表示対象交差点に車両が接近したことを検知する接近検知手段と、
表示対象交差点において推奨される進入方向および退出方向を設定する経路設定手段と、
表示対象交差点に車両が接近した場合に、該表示対象交差点において推奨される進入方向および退出方向を放射配列セグメント群の表示セグメントに対応させて交差点表示する主表示制御手段と、
車両自身の状態または車両周囲の状態の情報である車両状態情報を取得する状態取得手段と、
主表示制御手段による交差点表示が行われない場合に、取得した車両状態情報を放射配列セグメント群の表示セグメントに対応させて表示する補助表示制御手段と、
を備えることを特徴とする。
【０００９】
これによると、表示対象交差点において推奨される進入方向および退出方向を放射配列セグメント群の表示セグメントに対応させて交差点表示する一方で、交差点表示が行われない場合には、車両状態情報を放射配列セグメント群により表示することから、交差点表示が行われない間も表示器を有効に利用することができ、使用者にとって有用な情報を適宜表示することができる。また、交差点表示と車両状態情報の表示とを同じ放射配列セグメント群により行うことから、使用者はこれらの情報を把握しやすい。また、セグメント表示器であれば、装置構成を簡易なものとすることができる上に安価である。
【００１０】
次に、本発明の車両用表示装置において、
状態取得手段は、車両の進行方位を車両状態情報として取得し、
補助表示制御手段は、取得した車両の進行方位を放射配列セグメント群の表示セグメントに対応させて方位表示する。
【００１１】
これによると、放射配列セグメント群をいわゆるコンパスのように機能させることができるので、使用者は、交差点表示が行われていない間に車両の進行方位を容易に把握することができる。さらに、何らかの理由で表示対象交差点が認識されずに交差点表示が行われない場合であっても、車両の進行方位が表示されるので、使用者は表示対象交差点を正しく通過する手掛かりを得ることができる。
【００１２】
次に、本発明の車両用表示装置において、
車両の現在位置を検知する位置検知手段と、
地図データを記憶している記憶手段と、を備え、
経路設定手段は、車両の現在位置から目的地までの推奨経路を地図データ上で設定するものであり、
状態取得手段は、車両の現在位置を基準とした目的地の方位を車両状態情報として取得し、
補助表示制御手段は、取得した目的地の方位を放射配列セグメント群の表示セグメントに対応させて方位表示する。
【００１３】
これによると、使用者は、交差点表示が行われていない間に目的地の方位を把握することができるので、次に行うべき行動を予測しやすくなる。さらに、何らかの理由で表示対象交差点が認識されずに交差点表示が行われない場合であっても、目的地の方位が表示されるので、使用者は表示対象交差点を正しく通過する手掛かりを得ることができる。
【００１４】
これらの車両用表示装置において、
補助表示制御手段は、セグメント表示器による表示の上方を北の方位に対応させて、放射配列セグメント群により方位表示する。
【００１５】
これによると、表示の上方が北の方位に対応することで、使用者は表示と方位の関係を容易に把握することができる。
【００１６】
また、上記車両用表示装置において、
セグメント表示器は、放射配列セグメント群に隣接して、表示セグメントが数字状に配列した数字表示セグメント群を有し、
接近検知手段は、車両から表示対象交差点までの距離を検知し、
主表示制御手段は、表示対象交差点に車両が接近した場合に、該表示対象交差点までの距離を数字表示セグメント群により表示し、
補助表示制御手段は、放射配列セグメント群により方位表示するとともに、その方位表示において数字表示セグメント群の隣接位置に対応する方位を表す文字を、方位の基準を示す文字として該数字表示セグメント群により表示する。
【００１７】
これによると、数字表示セグメント群を、交差点表示において表示対象交差点までの距離を表すものとして用いる一方で、交差点表示が行われない場合には、方位表示において方位の基準を示す文字を表すものとして用いることで、交差点表示が行われない間も数字表示セグメント群を有効に利用することができ、使用者にとって有用な情報を適宜表示することができる。
【００１８】
具体的には、上記車両用表示装置において、
セグメント表示器は、放射配列セグメント群による表示の右隣に隣接して数字表示セグメント群を有し、
補助表示制御手段は、セグメント表示器による表示の上方を北の方位に対応させて、放射配列セグメント群により方位表示するとともに、方位の基準を示す文字として東の方位を表す「Ｅ」の文字を、右隣に隣接する数字表示セグメント群における１つの数字を表すための表示セグメントの組により表示する。
【００１９】
これによると、１つの数字を表すための表示セグメントの組（いわゆる７セグメント）であれば、東の方位を表す「Ｅ」の文字を表示することができることから、放射配列セグメント群による表示の右隣に隣接している数字表示セグメント群において東の方位を表す「Ｅ」の文字を表示することで、使用者は、方位の基準を知ることができ、表示と方位の関係をより容易に把握することができる。
【００２０】
もしくは、上記車両用表示装置において、
セグメント表示器は、放射配列セグメント群による表示の下隣に隣接して数字表示セグメント群を有し、
補助表示制御手段は、セグメント表示器による表示の上方を北の方位に対応させて、放射配列セグメント群により方位表示するとともに、方位の基準を示す文字として南の方位を表す「Ｓ」の文字を、下隣に隣接する数字表示セグメント群における１つの数字を表すための表示セグメントの組により表示する。
【００２１】
これによると、上記と同様に、１つの数字を表すための表示セグメントの組（いわゆる７セグメント）であれば、南の方位を表す「Ｓ」の文字を表示することができることから、放射配列セグメント群による表示の右隣に隣接している数字表示セグメント群において南の方位を表す「Ｓ」の文字を表示することで、使用者は、方位の基準を知ることができ、表示と方位の関係をより容易に把握することができる。
【００２２】
または、車両用表示装置において、
状態取得手段は、車両の進行方位および目的地の方位を車両状態情報として取得し、
補助表示制御手段は、セグメント表示器による表示の上方を車両の進行方位に対応させ、車両の進行方位を基準とした目的地の方位を放射配列セグメント群の表示セグメントに対応させて表示する。
【００２３】
これによると、表示の上方が車両の進行方位に対応し、それに対する目的地の方位が表示されるので、使用者は、車両の進行方位と目的地の方位との関係を容易に把握することができる。
【００２４】
次に、本発明の車両用表示装置において、
補助表示制御手段は、放射配列セグメント群を指針計器に見立て、車両状態情報として取得した物理量を表す指針の位置を、放射配列セグメント群の表示セグメントに対応させて表示する。
【００２５】
これによると、表示セグメントが放射状に配列している放射配列セグメント群を指針計器のように機能させることができるので、使用者は、交差点表示が行われていない間に車両状態情報を直感的に把握することができる。
【００２６】
例えば、放射配列セグメント群に表す指針計器は、車両状態情報として取得した車速を表すスピードメータ，エンジン回転数を表すタコメータ，水温を表す水温ゲージ，燃料の残量を表すフューエルゲージ等とすることができる。
【００２７】
また、上記車両用表示装置において、
セグメント表示器は、放射配列セグメント群に隣接して、表示セグメントが数字状に配列した数字表示セグメント群を有し、
接近検知手段は、車両から表示対象交差点までの距離を検知し、
主表示制御手段は、表示対象交差点に車両が接近した場合に、該表示対象交差点までの距離を数字表示セグメント群により表示し、
補助表示制御手段は、放射配列セグメント群に表す指針計器を、車両状態情報として取得した燃料の残量を表すフューエルゲージとするとともに、燃料の残量が所定以下の場合に、燃料の残量が僅かであることを表す「Ｅ」の文字を、数字表示セグメント群における１つの数字を表すための表示セグメントの組により表示する。
【００２８】
これによると、１つの数字を表すための表示セグメントの組（いわゆる７セグメント）であれば、燃料の残量が僅かであることを表す「Ｅ」の文字を表示することができることから、放射配列セグメント群において燃料の残量を表示するとともに、隣接している数字表示セグメント群において燃料の残量が僅かであることを表す「Ｅ」の文字を表示することで、使用者は、燃料の残量を直感的に把握することができる。
【発明を実施するための最良の形態】
【００２９】
［第１実施形態］
図１は、第１実施形態に係る車両用表示装置１Ａの機能ブロック図である。車両用表示装置１Ａは、制御部４Ａに、車両の現在位置を検出する位置検出器２と、地図データ３１を記憶しているＨＤＤ（Hard Disk Drive）３と、表示セグメントの点灯によって表示を行うセグメント表示器６と、これを駆動するデコーダドライバ５と、が接続された構造を有する。
【００３０】
制御部４Ａは、ＣＰＵ４１，ＲＯＭ４２，ＲＡＭ４３を含んで構成されるマイクロプロセッサからなる。ＲＯＭ４２は、ＣＰＵ４１が実行するプログラム及びそれに必要なデータを記憶している。ＲＡＭ４３は、ＣＰＵ４１がプログラムを実行する際に作業領域として利用される。
【００３１】
位置検出器２は、ＧＰＳ（Global Positioning System）衛星から送信されたＧＰＳ電波をアンテナで受信して位置データを取得するＧＰＳ受信機２１と、地磁気に基づいて方位を検出する地磁気センサ２２と、角速度を検出して方位を算出するジャイロスコープ２３と、走行距離を検出して距離データを取得する距離センサ２４とを備え、それぞれが取得したデータを相互補完することによって、車両の現在位置の検出と正確な走行距離の計測を行う。
【００３２】
ここで、位置検出器２は、車両の現在位置を検知する本発明の位置検知手段として機能するとともに、これに含まれる地磁気センサ２２およびジャイロスコープ２３は、車両の進行方位を検知する本発明の状態取得手段としても機能する。
【００３３】
ＨＤＤ３は、地図データ３１を記憶しており、本発明の記憶手段として機能する。また、地図データ３１は、例えばＣＤ−ＲＯＭ，ＤＶＤ−ＲＯＭ，メモリカードなどの記録媒体に記憶させてドライブから入力するようにしてもよい。
【００３４】
地図データ３１には、道路の位相情報が含まれている。道路の位相情報とは、交差点（ノード）と交差点の接続（リンク）を記述するものであって、推奨経路の設定などに用いられる。ここで、道路の位相情報に記述されている交差点は、後述する交差点表示の対象となる（表示対象交差点）。
【００３５】
制御部４Ａは、使用者により操作スイッチなど（図示せず）から入力された目的地について、車両の現在位置から目的地までの推奨経路を周知のダイクストラ（Dijkstra）法により算出する。これにより、推奨経路上に存在する各交差点における進入方向および退出方向が決定する。このようにして、制御部４Ａは、本発明の経路設定手段として機能する。
【００３６】
セグメント表示器６は、各表示セグメントを点灯させるＬＥＤ等の光源を備え、点灯させる表示セグメントの組合せによって文字や数字、記号などを表現するものである。各光源の点灯は、制御部４Ａからの表示指令を受けたデコーダドライバ５により制御される。
【００３７】
また、セグメント表示器６は、図２に示すように、車両のウインドシールドＷＳに表示セグメントの点灯による表示６Ａ〜６Ｄを映し込む、いわゆるヘッドアップディスプレイ（ＨＵＤ）として構成されている。図３に示すように、セグメント表示器６は、ウインドシールドＷＳの下側から車両の内側へ延出するインストルメントパネルＩＰの内部に配設されており、点灯した表示セグメントの光がウインドシールドＷＳに入射され、運転席に着座した運転者ＤＲの目に向けて反射されることで、表示セグメントの点灯による表示６Ａ〜６Ｄが虚像として運転者ＤＲに捕らえられる。
【００３８】
セグメント表示器６の表示セグメントについて、図４を用いて説明する。なお、この図は、点灯した表示セグメントがウインドシールドＷＳに映し込まれた表示６Ａ〜６Ｄを表すものであり、実際のセグメント表示器６には、この図を左右反転させた形の表示セグメントが形成されている。また、この図は、全ての表示セグメントを点灯させた状態を示す図である。
【００３９】
セグメント表示器６は、表示セグメントが放射状に配列した放射配列セグメント群７と、表示セグメントが数字状に配列した数字表示セグメント群８と、を有する。
【００４０】
放射配列セグメント群７は、中央に表示され、交差点表示において交差点の中心を表す表示セグメント７２と、表示セグメント７２より下方に表示され、交差点表示において進入方向を表す表示セグメント７１と、表示セグメント７２を取り囲んで表示され、交差点表示において退出方向を表す表示セグメント７３と、を有する。
【００４１】
数字表示セグメント群８は、放射配列セグメント群７の右隣に表示されるように配置されており、１つの数字を表すための表示セグメントの組８１〜８３を三つ有しており、これにより３桁の数字を表すことができる。また、交差点表示において交差点までの距離を表すための「ｍ」形状の表示セグメント８４も有する。
【００４２】
車両用表示装置１Ａの作動について説明する。図８は、車両用表示装置１Ａの制御部４Ａが行う処理を表すフローチャートである。
【００４３】
まず、制御部４Ａは、交差点表示すべき交差点があるか否かを判断する（Ｓ１）。すなわち、所定距離以下となるまで車両が表示対象交差点に接近したかを判断する（接近検知手段としての機能）。
【００４４】
具体的には、制御部４Ａは、位置検出器２により車両の現在位置の情報を得ているので、地図データ３１上で現在位置と表示対象交差点との距離を算出して、その距離が所定距離以下であるか否かを判断する。
【００４５】
または、例えば、通信器を備え、外部インフラから提供される情報によって、表示対象交差点に車両が接近したことを検知したり、その表示対象交差点において推奨される進入方向および退出方向を取得したりしても良い。
【００４６】
また、Ｓ１において、目的地を設定していない場合には、推奨経路が設定されていない（すなわち、表示対象交差点において推奨される進入方向および退出方向が存在しない）ことから、交差点表示すべき交差点がないと判断される。また、地図データ上にはない交差点や表示対象ではない交差点を通過する場合、地図データ上での位置を見失っている場合などにも、交差点表示すべき交差点がないと判断される。
【００４７】
次に、制御部４Ａは、交差点表示すべき交差点があると判断した場合（Ｓ１：YES）には、その表示対象交差点において推奨される進入方向および退出方向を表示する交差点表示を行う（Ｓ２；主表示制御手段としての機能）。
【００４８】
交差点表示による表示６Ｄでは、図５に示すように、放射配列セグメント群７において、表示セグメント７１を点灯させることで交差点への進入方向を表すとともに、表示セグメント７３のうち該当するものを点灯（矢印形状に点灯）させることで交差点からの退出方向を表す。また、表示セグメント７３の一部のものを点灯（矢印形状の頭の部分を除いて点灯）させて交差点全体の構造を表すことで、使用者に交差点全体の構造を把握させつつ交差点の退出方向を案内することができる。また、交差点の退出方向を理解しやすくするため、進入方向から退出方向にかけて表示セグメント７１〜７３を順次点灯させるようにしても良い。
【００４９】
数字表示セグメント群８においては、算出した表示対象交差点までの距離を表示する。また、表示対象交差点までの距離は、車両が表示対象交差点に達するまで随時更新される。
【００５０】
ここで、図５（ａ）は３００ｍ先の五叉路を右前方向に曲がる場合の例を示し、図５（ｂ）は２００ｍ先の四叉路を右方向に曲がる場合の例を示している。
【００５１】
次に、制御部４Ａは、交差点表示すべき交差点がないと判断した場合（Ｓ１：NO）には、地磁気センサ２２やジャイロスコープ２３により検知された車両の進行方位を放射配列セグメント群７の表示セグメントに対応させて方位表示する（Ｓ３Ａ；補助表示制御手段としての機能）。
【００５２】
方位表示による表示６Ａでは、図６に示すように、放射配列セグメント群７において、表示の上方を北の方位として、車両の進行方位に該当する表示セグメント７３を点灯（矢印形状に点灯）させる。また、図６（ｂ）に示すように、表示セグメント７１，７３の一部のものを点灯させることで東西南北の方位を基準として表すこともできる。
【００５３】
放射配列セグメント群７の右隣には数字表示セグメント群８が隣接して表示されているが、放射配列セグメント群７における方位表示において、表示の上方が北の方位に対応するので、その右隣に位置する数字表示セグメント群８は東の方位に対応する。そこで、数字表示セグメント群８の１つの数字を表すためのセグメントの組８２に、東の方位を表す「Ｅ」の文字を方位の基準を示す文字として表示させることで、使用者は方位の把握が容易となる。
【００５４】
また、この変形例として、図７に示すように、放射配列セグメント群７の下隣に隣接して表示される数字表示セグメント群８’を有するセグメント表示器６’の場合には、数字表示セグメント群８の１つの数字を表すためのセグメントの組８２’に、南の方位を表す「Ｓ」の文字を方位の基準を示す文字として表示させることができる。
【００５５】
［第２実施形態］
第２実施形態に係る車両用表示装置１Ｂについて説明する。以下、主に第１実施形態と異なる箇所について述べ、重複する箇所については同番号を付すことで説明を省略する。
【００５６】
車両用表示装置１Ｂは、図１に示すように、上述した第１実施形態に係る車両用表示装置１Ａと同様の構成を有する。
【００５７】
車両用表示装置１Ｂの作動について説明する。図１０は、車両用表示装置１Ｂの制御部４Ｂが行う処理を表すフローチャートである。
【００５８】
制御部４Ｂは、交差点表示すべき交差点がないと判断した場合（Ｓ１：NO）には、目的地の方位を放射配列セグメント群７の表示セグメントに対応させて方位表示する（Ｓ３Ｂ；補助表示制御手段としての機能）。
【００５９】
方位表示による表示６Ｂでは、図９に示すように、表示の上方を車両の進行方位として、これを基準に目的地の方位に該当する表示セグメント７３を点灯（矢印形状に点灯）させる。
【００６０】
ここで、車両の進行方位は、上述したように、地磁気センサ２２やジャイロスコープ２３により検知することができる。これらは、車両の方位を車両状態情報（第１の車両状態情報）として取得する本発明の状態取得手段として機能する。
【００６１】
また、目的地の方位は、制御部４Ｂが、地図データ３１上で位置検出器２により得ている車両の現在位置と目的地とを結ぶ線分の方向を算出することで取得することができる。すなわち、制御部４Ｂは、目的地の方位を車両状態情報（第２の車両状態情報）として取得する本発明の状態取得手段として機能する。
【００６２】
［第３実施形態］
第３実施形態に係る車両用表示装置１Ｃについて説明する。以下、主に第１実施形態および第２実施形態と異なる箇所について述べ、重複する箇所については同番号を付すことで説明を省略する。
【００６３】
車両用表示装置１Ｃは、図１１に示すように、上述した第１実施形態に係る車両用表示装置１Ａと同様の構成を有する。第１実施形態と異なる点は、車両用表示装置１Ｃが、車両状態情報を取得するセンサ９１（本発明の状態取得手段）と、このセンサ９１が取得した車両状態情報を通信によって制御部４Ｃに伝えるＥＣＵ（Electronic Control Unit）９と、を有している点である。なお、本実施形態では、センサ９１は、燃料タンク内の燃料の残量を検知する燃料残量センサとして構成されている。
【００６４】
車両用表示装置１Ｃの作動について説明する。図１４は、車両用表示装置１Ｃの制御部４Ｃが行う処理を表すフローチャートである。
【００６５】
制御部４Ｃは、交差点表示すべき交差点がないと判断した場合（Ｓ１：NO）には、放射配列セグメント群７を燃料の残量を表す指針計器（フューエルゲージ）に見立て、取得した燃料の残量を表す指針の位置を放射配列セグメント群７の表示セグメント７３に対応させて指針計器表示する（Ｓ３Ｃ；補助表示制御手段としての機能）。
【００６６】
この指針計器表示による表示６Ｃは、図１２に示すように、表示セグメント７３のうち、表示セグメント７１の左側を最小値の側・右側を最大値の側とすることで、放射配列セグメント群７の円周を燃料の残量が取り得る幅に対応させて、取得した燃料の残量に該当する表示セグメント７３を点灯（矢印形状に点灯）させる。ここでは、矢印形状に点灯させることで、指針計器の指針を表している。
【００６７】
また、矢印形状に点灯させた表示セグメント７３よりも最小値の側にある表示セグメント７３も一部点灯（矢印形状の頭の部分を除いて点灯）させることで、燃料の残量を一見して把握しやすいようにしている。
【００６８】
また、燃料の残量が所定以下の場合には、図１３に示すように、燃料の残量が僅かであることを表す「Ｅ」の文字（Emptyの頭文字）を、数字表示セグメント群８における１つの数字を表すためのセグメントの組８２により表示することで、燃料の残量が僅かであることを使用者に知らせることができる。
【００６９】
なお、放射配列セグメント群７に表される指針計器は、このようなフューエルゲージに限らず、車速を表すスピードメータ，エンジン回転数を表すタコメータ，水温を表す水温ゲージなどとすることもできる。この場合、センサ９１は、車速センサ，エンジン回転数センサ，水温センサなどで構成される。
【００７０】
以上、本発明の実施形態について説明したが、本発明はこれらの形式に限定されるものではなく、これらに具現された発明と同一性の範囲内において適宜変更して実施し得る。
【図面の簡単な説明】
【００７１】
【図１】車両用表示装置の機能ブロック図を示す図（第１および第２実施形態）
【図２】車両用表示装置による表示例を示す図
【図３】車両用表示装置による表示方式の説明図
【図４】セグメント表示器を構成する表示セグメントの全点灯状態を示す図
【図５】交差点表示の表示例を示す図
【図６】車両の進行方位を表す方位表示の表示例を示す図（第１実施形態）
【図７】図６の変形例を示す図
【図８】フローチャートを示す図（第１実施形態）
【図９】目的地の方位を表す方位表示の表示例を示す図（第２実施形態）
【図１０】フローチャートを示す図（第２実施形態）
【図１１】車両用表示装置の機能ブロック図を示す図（第３実施形態）
【図１２】指針計器表示の表示例を示す図（第３実施形態）
【図１３】指針計器表示の表示例を示す図（第３実施形態）
【図１４】フローチャートを示す図（第３実施形態）
【符号の説明】
【００７２】
１Ａ〜１Ｄ  車両用表示装置
２  位置検出器（位置検知手段）
２２  地磁気センサ（状態取得手段）
２３  ジャイロスコープ（状態取得手段）
３  ＨＤＤ（記憶手段）
３１  地図データ
４Ａ〜４Ｄ  制御部（接近検知手段，経路設定手段，主表示制御手段，補助表示制御手段，状態取得手段）
５  デコーダドライバ
６  セグメント表示器
６Ａ〜６Ｄ  表示
７  放射配列セグメント群
８  数字表示セグメント群
８１〜８３  １つの数字を表すための表示セグメントの組
【図１】
2007198746.tif 000003
【図２】
2007198746.tif 000004
【図３】
2007198746.tif 000005
【図４】
2007198746.tif 000006
【図５】
2007198746.tif 000007
【図６】
2007198746.tif 000008
【図７】
2007198746.tif 000009
【図８】
2007198746.tif 000010
【図９】
2007198746.tif 000011
【図１０】
2007198746.tif 000012
【図１１】
2007198746.tif 000013
【図１２】
2007198746.tif 000014
【図１３】
2007198746.tif 000015
【図１４】
2007198746.tif 000016